(57)【要約】【課題】特定の操作入力に対して通常の操作入力以上に誤操作を抑制する。【解決手段】電子機器１は接触検出部４０と押圧検出部６０と制御部１０とを有する。接触検出部４０は接触を検出する。押圧検出部６０は接触検出部４０に対する押圧を検出する。制御部１０は押圧検出部が検出する押圧に基づくデータに応じてアプリケーションのロックを解除する。【選択図】図１
2013205986.tif 000002
【特許請求の範囲】
【請求項１】
接触を検出する接触検出部と、
前記接触検出部に対する押圧を検出する押圧検出部と、
前記押圧検出部が検出する押圧に基づくデータに応じて、アプリケーションのロックを解除する制御部とを備える
ことを特徴とする電子機器。
【請求項２】
請求項１に記載の電子機器であって、前記押圧に基づくデータは前記接触検出部への押圧の加速度に応じた電圧であることを特徴とする電子機器。
【請求項３】
請求項１または２に記載の電子機器であって、
前記制御部は、前記押圧に基づくデータに加えて、前記接触検出部が検出する接触位置、接触回数、および接触の順番の少なくとも一つに応じて、アプリケーションのロックを解除する
ことを特徴とする電子機器。
【請求項４】
請求項１から３のいずれかに記載の電子機器であって、
前記制御部は、前記押圧に基づくデータに加えて、前記接触検出部が検出する接触位置、接触回数、および接触の順番の少なくとも一つと予め登録される解除情報との一致度に応じて、一部機能を制限した状態でアプリケーションのロックを解除する
ことを特徴とする電子機器。
【請求項５】
接触を検出する検出ステップと、
押圧を検出する押圧検出ステップと、
前記押圧検出ステップにおいて検出された押圧に基づくデータに応じて、アプリケーションのロックを解除する解除ステップとを備える
ことを特徴とするロック解除方法。
【発明の詳細な説明】
【技術分野】
【０００１】
本発明は、電子機器に関するものである。より詳細には、タッチセンサなどの接触検出部に対する入力に基づいて、アプリケーションソフトウェアを実行させるなど所定の処理を行う電子機器に関するものである。
【背景技術】
【０００２】
近年、携帯電話等の携帯端末において、操作者による操作を検出する部材として、タッチパネルやタッチスイッチ等のタッチセンサを備える電子機器が増えている。また、携帯端末以外に、電卓、券売機等の機器や、電子レンジ、テレビ、照明器具等の家電製品、産業用機器（ＦＡ機器）等、タッチセンサを備える電子機器は広く使用されている。
【０００３】
このようなタッチセンサは、銀行のＡＴＭおよび携帯電話端末などの入力機器として用いられている。銀行のＡＴＭにおける現金の引出し機能、および携帯電話端末におけるアドレス帳に関する様々な機能のように、特定のデータに対する実行が登録された本人に制限されるべき機能がある。
【０００４】
このような機能にロックをかけ、入力された暗証番号等が登録された暗証番号等に一致する場合にロックを解除することが知られている（特許文献１参照）。上述のタッチパネルを用いる場合においては、表示される数字ボタンおよび文字キーへの操作によって暗証番号等を入力可能である。
【先行技術文献】
【特許文献】
【０００５】
【特許文献１】特開平５−２０５２５号公報
【発明の概要】
【発明が解決しようとする課題】
【０００６】
しかし、画面に表示される数字ボタンなどへの操作の位置および／または数字等が第三者に見られると、暗証番号等が漏洩する恐れがある。
【０００７】
したがって、かかる事情に鑑みてなされた本発明の目的は、第三者による知覚が困難な入力機能を有する電子機器を提供することにある。
【課題を解決するための手段】
【０００８】
上述した諸課題を解決すべく、本発明による電子機器は、
接触を検出する接触検出部と、
接触検出部に対する押圧を検出する押圧検出部と、
押圧検出部が検出する押圧に基づくデータに応じて、アプリケーションのロックを解除する制御部とを備える
ことを特徴とするものである。
【０００９】
なお、押圧に基づくデータは接触検出部への押圧の加速度に応じた電圧であることが好ましい。
【００１０】
また、制御部は、押圧に基づくデータに加えて、接触検出部が検出する接触位置、接触回数、および接触の順番の少なくとも一つに応じて、アプリケーションのロックを解除することが好ましい。
【００１１】
また、制御部は、押圧に基づくデータに加えて、接触検出部が検出する接触位置、接触回数、および接触の順番の少なくとも一つと予め登録される解除情報との一致度に応じて、一部機能を制限した状態でアプリケーションのロックを解除する
ことが好ましい。
【００１２】
また、本発明によるロック解除方法は、
接触を検出する検出ステップと、
押圧を検出する押圧検出ステップと、
前記押圧検出ステップにおいて検出された押圧に基づくデータに応じて、アプリケーションのロックを解除する解除ステップとを備える
ことを特徴としている。
【発明の効果】
【００１３】
上記のように構成された本発明に係る電子機器によれば、第三者による知覚が困難な入力機能を有することが可能である。
【図面の簡単な説明】
【００１４】
【図１】本発明の一実施形態に係る電子機器の概略構成を示すブロック図である。
【図２】電子機器の実装構造の例を示す図である。
【図３】電子機器が登録要求画像を表示している状態を示す図である。
【図４】制御部が実行する事前登録処理を説明するフローチャートである。
【図５】制御部が実行する特定の機能に対するロック解除処理を説明するフローチャートである。
【図６】制御部が実行する特定のデータに対するロック解除処理を説明するフローチャートである。
【発明を実施するための形態】
【００１５】
以下、本発明の実施形態について、図面を参照して説明する。
【００１６】
図１は、第１の実施形態に係る電子機器の概略構成を示すブロック図である。
【００１７】
本実施形態に係る電子機器１は例えば携帯電話端末であり、図１に示すように、制御部１０と、表示部３０と、接触検出部４０と、振動部５０と、押圧検出部６０と、記憶部８０とを備えている。
【００１８】
制御部１０は、電子機器１を構成する各機能部を制御することにより、電子機器１の全体を制御および管理する。制御部１０の処理のうち本実施の形態特有のものについては後述する。
【００１９】
表示部３０は、写真などを含む様々な画像を表示可能である。また、表示部３０は、これらの画像に重畳して、例えば押しボタンスイッチ（プッシュ式ボタンスイッチ）等のようなオブジェクトを画像で表示する。このオブジェクトは、接触検出部４０のタッチ面上において接触すべき領域を操作者に示唆する画像である。また、押しボタンスイッチとは、操作者が入力の操作に用いるボタンやキー等（以下、単に「キー等」と総称する）である。表示部３０は、例えば、液晶表示パネル（ＬＣＤ）や有機ＥＬ表示パネル等を用いて構成する。
【００２０】
接触検出部４０は、通常は表示部３０の前面に配置して、表示部３０に表示したオブジェクトに対する操作者の指やスタイラスペン等（以下、単に「接触物」と総称する）による接触を、対応する接触検出部４０のタッチ面において検出する。また、接触検出部４０は、タッチ面に対する接触物の接触の位置を検出し、当該検出した接触の位置を制御部１０に通知する。この接触検出部４０は、例えば抵抗膜方式、静電容量方式、光学式等の方式のもので構成されたタッチセンサを用いることができる。
【００２１】
振動部５０は、例えば圧電振動子等を用いて構成し、接触検出部４０を振動させる。この振動部５０は、所定の振動パターンによる振動を発生させることにより、タッチ面に接触している接触物に対して触感を呈示する。本実施の形態において、振動部５０は、制御部１０から供給される駆動信号に基づいて振動を発生する。
【００２２】
すなわち、本実施の形態において、制御部１０は、振動部５０が振動するように制御する。また、この際、制御部１０は、接触検出部４０が検出する接触物の接触の位置に応じて、振動部５０を駆動する駆動信号を異ならせるように制御することもできる。つまり、制御部１０は、接触検出部４０が接触を検出した位置に対応する表示部３０に表示されたオブジェクトに応じて、異なる態様の振動を発生するよう制御することもできる。
【００２３】
押圧検出部６０は、接触検出部４０のタッチ面に対する押圧を検出するもので、例えば、押圧に応じて物理的または電気的な特性（歪み、抵抗、電圧等）が変化する歪みゲージセンサや圧電素子等の素子等を用いて構成する。押圧検出部６０が、例えば、圧電素子等を用いて構成された場合、押圧検出部６０の圧電素子は、接触検出部４０のタッチ面に対する押圧に係る荷重（力）の大きさ（または、荷重（力）の大きさが変化する速さ（加速度））に応じて、電気的な特性である電圧の大きさ（電圧値（以下、押圧に基づくデータと称する））が変化する。制御部１０は、押圧検出部６０が押圧に基づくデータを制御部１０に通知することにより、または、制御部１０が、押圧検出部６０の押圧に基づくデータを検出することにより、当該押圧に基づくデータを取得する。つまり、制御部１０は、接触検出部４０のタッチ面に対する押圧に基づくデータを押圧検出部６０から取得する。なお、押圧に基づくデータは、電圧値の代わりに、押圧に係る荷重の大きさ、電力値、抵抗値等でもよい。なお、振動部５０と押圧検出部６０は、一体化して構成されていてもよい。
【００２４】
記憶部８０は、例えばフラッシュメモリ等によって構成し、電子機器１において実行する各種のアプリケーションソフトウェア（以下、単に「アプリケーション」と記す）を記憶するのみならず、各種の情報を記憶することができる。
【００２５】
図２は、図１に示した電子機器１のうち、表示部３０、接触検出部４０、振動部５０、および押圧検出部６０を中心とする実装構造の一例を示す図である。図２（Ａ）は要部断面図であり、図２（Ｂ）は要部平面図である。図２（Ａ）に示すように、本実施形態に係る電子機器１において、表示部３０は、筐体７１内に収納保持される。また、表示部３０上には、弾性部材からなるインシュレータ７２を介して、接触検出部４０が保持される。また、電子機器２において、接触検出部４０は、図２（Ｂ）に仮想線で示す表示部３０の表示領域Ａから外れた４隅に配設したインシュレータ７２を介して表示部３０上に保持される。なお、図２において、本実施の形態に係る電子機器２は、表示部３０および接触検出部４０を、平面視で矩形状としている。しかしながら、これらの形状は、電子機器２が備える接触検出部４０または表示部３０の構成などの諸条件に応じた形状とすることができる。
【００２６】
また、筐体７１には、表示部３０の表示領域から外れた接触検出部４０の表面領域を覆うようにアッパカバー７３が設けられ、このアッパカバー７３と接触検出部４０との間に、弾性部材からなるインシュレータ７４が配設される。なお、図２に示す接触検出部４０において、タッチ面４０ａを有する表面部材は、例えば透明フィルムやガラスで構成され、裏面部材はガラスやアクリルで構成されるようにする。接触検出部４０は、タッチ面４０ａが押圧されると、押圧部分が押圧力に応じて微少量撓む（歪む）、または構造体そのものが微少量撓む構造のものを用いる。
【００２７】
接触検出部４０の表面上には、アッパカバー７３で覆われる各辺の近傍に、接触検出部４０に加わる押圧を検出するための歪みゲージセンサ６２が、それぞれ接着等により設けられる。さらに、接触検出部４０の裏面上には、対向する２つの辺の近傍に、接触検出部４０を振動させるための圧電振動子５２が、それぞれ接着等により設けられる。すなわち、図２に示す電子機器２において、図１に示した押圧検出部６０は、４つの歪みゲージセンサ６２を用いて構成され、振動部５０は、２つの圧電振動子５２を用いて構成されている。そして、振動部５０により接触検出部４０を振動させることにより、タッチ面４０ａを振動させるようにしている。なお、図２（Ｂ）は、図２（Ａ）に示した筐体７１、アッパカバー７３およびインシュレータ７４の図示を省略している。
【００２８】
上述の構成を有する電子機器１は、キー等のオブジェクトの表示領域に対してタッチ面上の対応領域（以後、オブジェクト領域と呼ぶ。）に対する接触および押圧に応じて、入力を検出することが可能である。例えば、電子機器１は、オブジェクト領域への単なる接触、弱い押圧、より強い押圧、およびさらに強い押圧を検出することが可能である。したがって、電子機器１は、単一のオブジェクトに対して、様々な入力が可能である。
【００２９】
また、電子機器１は、操作者によるキー等のオブジェクトに対する入力に応じて、振動部５０によって振動を発生させる。このような構成により、電子機器１は、機械式のキーの押圧感を操作者に呈示させることが可能である。さらに、電子機器１では、押圧に基づくデータに応じて、振動部５０の振動パターンが変わる。たとえば、電子機器１は、押圧に基づくデータが小さい場合には、機械式の多段階のボタンにおける１段目の押圧感を知覚させる振動を、振動部５０によって発生させる。また、電子機器１は、押圧に基づくデータが大きいほど、多段の押圧感を知覚させる振動を、振動部５０によって発生させる。したがって、振動のパターンにより操作者は押圧の段数を知覚可能である。
【００３０】
電子機器１は、操作者の実行を指示する操作により選択された機能を実行する。例えば、電子機器１は、アプリケーション上で特定の機能を実行する。また、電子機器１はアプリケーション上の任意の機能の実行に制限をかけることが可能である。
【００３１】
ロックのかかったアプリケーションの実行を要求する入力を検出すると、電子機器１はアプリケーションのロック解除操作を操作者に要求する。ロック解除操作とは、表示部３０に対する多様な接触回数、多様な接触位置、多様な接触の順番、および多様な押圧の強さを組合わせた一連の操作である。以後、接触回数、接触位置、接触の順番、および押圧の強さを判別パラメータとする。
【００３２】
操作者はロックを解除するための各判別パラメータの値を、ロック解除情報として事前に登録可能である。制御部１０は、ロック解除操作において検出される各判別パラメータを検出情報としてロック解除情報と比較する。制御部１０は比較結果に基づいて、ロックを解除するか否かを判別する。例えば、検出情報とロック解除情報とがすべて一致するときに、制御部１０はアプリケーションのロックを解除する。
【００３３】
ロック解除情報の事前登録について、詳細に説明する。電子機器１は、アプリケーションにロックをかけるとき、図３に示すように、表示部３０に登録要求画像を表示する。登録要求画像は、例えば登録支援のために５行４列に並ぶ方眼画像ＧＩを含む。本願の説明において方眼の左から右に１、２、３、４列とし、上から下にａ、ｂ、ｃ、ｄ、ｅ行とする。方眼画像ＧＩは、接触位置を操作者に認識させる入力支援のためであって、表示されなくてもよい。また、電子機器１は、操作者が接触した位置を判定する場合、上記方眼画像ＧＩと同様に、方眼の左から右に１、２、３、４列、上から下にａ、ｂ、ｃ、ｄ、ｅ、行に分割されたエリアに基づいて行う。例えば、電子機器１は、接触検出部４０によって操作者がａ列、１行のエリアに接触したことを検出した場合には、接触位置を（ａ、１）とする。
【００３４】
登録要求画像の表示中に、操作者は単一または複数のキーへの接触および／または様々な強さによる押圧を施すことによって、ロック解除情報を登録することが可能である。例えば、“（ｅ、４）”、“（ａ、３）”、“（ａ、１）”、“（ｃ、２）”に対応する方眼の領域に、押圧に基づくデータＡが出力されるように押圧すると、制御部１０は接触回数が４回、であると認識する。また、接触位置および接触順番は、“（ｅ、４）”、“（ａ、３）”、“（ａ、１）”、“（ｃ、２）”であると、制御部１０は認識する。また、制御部１０は、押圧に基づくデータをＡとして認識する。記憶部８０は、認識したこれらの判別パラメータの値をロック解除情報として記憶する。なお、押圧に基づくデータが実際にはＡ近傍の値が出力された場合においても、押圧に基づくデータをＡとして認識してもよい。
【００３５】
ロック解除情報は、機能毎に別々に登録することが可能である。例えば、表１に示すように、第２の機能に対しては１回、（ｃ、３）、２段押圧を接触回数、接触位置、および押圧に基づくデータとするロック解除情報を登録可能である。
【００３６】
【表１】
2013205986.tif 000003
【００３７】
次に、ロックの解除について、詳細に説明する。第１の機能に前述のロック解除情報が登録されている場合において、第１の機能の実行を要求する操作入力時に、表示部３０は解除要求画像を表示する。解除要求画像は登録要求画像と同じ画像であり、５行４列に並ぶ方眼画像を含む。登録要求画像と同様に、方眼画像は表示されなくてもよい。解除要求画像の表示により、電子機器１はロック解除操作を操作者に要求する。
【００３８】
操作者がロック解除情報と同じ判別パラメータの値を認識させるロック解除操作を行うと、制御部１０はロックを解除する。例えば、第１のアプリケーションに対して、接触回数が４回であって、接触位置および接触順番が“（ｅ、４）”、“（ａ、３）”、“（ａ、１）”、“（ｃ、２）”であって、押圧に基づくデータがＡとなるようにロック解除操作を検出すると、制御部１０はロックを解除する。
【００３９】
電子機器１では、アプリケーションのうち任意の機能に制限をかけることが可能である。例えば、アプリケーションは電話番号等のアドレス帳である。例えば、アドレス帳アプリケーション上ではアドレスの新規作成、変更、削除、および閲覧等の機能を実行可能である。このように多様な機能のいずれかのロックをかけることが可能である。
【００４０】
アプリケーションにおける任意の機能に対するロックの解除においては、前述のアプリケーションロックの解除と同様のロック解除操作が、操作者に求められる。ただし、アプリケーションのロックの解除と異なり、検出情報とロック解除情報との比較に基づいて、ロックが解除される機能が変わる。
【００４１】
例えば、検出情報とロック解除情報とが完全に一致する場合には、制御部１０はアプリケーションにおけるすべての機能のロックを解除する。また、検出情報およびロック解除情報における押圧に基づくデータを少なくとも含む一部のパラメータが一致する場合には、制御部１０は一部の機能のロックを解除し、残りの機能のロックを解除しない。また、検出情報とロック解除情報における押圧に基づくデータが一致しない場合には、制御部１０はすべての機能に対するロック状態を維持する。
【００４２】
さらに、一部のパラメータが一致する場合において、制御部１０は、押圧に基づくデータ以外の判別パラメータの一致度に応じて、実行可能な機能に制限を付す。一致度とは、押圧に基づくデータ以外の判別パラメータに関する検出情報とロック解除情報との一致性を示す指標である。例えば、制御部１０は、各判別パラメータにおいて、完全一致のときに１、一部一致のときに０．５、完全不一致のときに、０として、その平均値を一致度として算出する。
【００４３】
本実施形態においては、一致度が０を超え１未満である場合、すなわち押圧に基づくデータ以外にも判別パラメータの少なくとも一部が一致している場合、制御部１０はアドレスの閲覧および新規作成に対してロックを解除する。一方、制御部１０はアドレスの変更および削除のロックを維持する。
【００４４】
また、一致度が０である場合、すなわち押圧の強さのみが一致している場合、制御部１０はアドレスの閲覧に対してロックを解除する。一方、制御部１０はアドレスの変更、削除、および新規作成に対してロックを維持する。
【００４５】
次に、制御部１０が実行する判別パラメータの事前登録処理について、図４のフローチャートを用いて説明する。制御部１０は、特定のアプリケーションに対してロックをかける入力を検出するときに事前登録処理を開始する
【００４６】
ステップＳ１００において、制御部１０は、表示部３０に登録要求画像を表示させる。登録要求画像の表示後、プロセスはステップＳ１０１に進む。
【００４７】
ステップＳ１０１では、制御部１０は、接触検出部４０および押圧検出部６０が表示部３０への接触および押圧を検出しているか否かを判別する。接触および押圧を検出していない場合には、プロセスはステップＳ１０１に戻る。接触および押圧を検出している場合には、プロセスはステップＳ１０２に進む。
【００４８】
ステップＳ１０２では、制御部１０は、接触検出部４０および押圧検出部６０が検出した接触および押圧に基づくデータを取得し、制御部１０が有するバッファに保存する。バッファに保存すると、プロセスはステップＳ１０３に進む。
【００４９】
ステップＳ１０３では、制御部１０は、事前登録を終了する入力を検出したか否かを判別する。登録要求画像は事前登録を終了する終了キーを含み、終了キーへの接触を、事前登録を終了する入力として検出する。事前登録終了の入力を検出しなかった場合には、プロセスはステップＳ１０１に戻る。事前登録終了の入力を検出した場合には、プロセスはステップＳ１０４に進む。
【００５０】
ステップＳ１０４では、制御部１０は、バッファに記憶した接触および押圧に基づくデータを用いて、判別パラメータを解析する。すなわち、ステップＳ１０２においてバッファに記憶された接触および押圧に基づくデータを用いて、接触回数および接触の順番を解析する。また、接触位置および押圧に基づくデータを判別パラメータとして認定する。判別パラメータの解析を終了すると、プロセスはステップＳ１０５に進む。
【００５１】
ステップＳ１０５では、制御部１０は、ステップＳ１０４において解析および認定した判別パラメータをロック解除情報として記憶部８０に記憶させる。ロック解除情報を記憶させると事前登録処理を終了する。
【００５２】
次に、制御部１０が実行する特定のアプリケーションのロック解除処理について、図５のフローチャートを用いて説明する。制御部１０は、ロックのかけられた特定のアプリケーションを実行する入力を検出するときにロック解除処理を開始する
【００５３】
ステップＳ２００において、制御部１０は、表示部３０に解除要求画像を表示させる。解除要求画像の表示後、プロセスはステップＳ２０１に進む。
【００５４】
ステップＳ２０１では、制御部１０は、ロック解除操作のための入力、すなわち接触検出部４０および押圧検出部６０が表示部３０への接触および押圧を検出しているか否かを判別する。接触および押圧を検出していない場合には、プロセスはステップＳ２０１に戻る。接触および押圧を検出している場合には、プロセスはステップＳ２０２に進む。
【００５５】
ステップＳ２０２では、制御部１０は、ステップＳ２０１において検出したと判別された接触および押圧に基づくデータに応じたロック解除操作における判別パラメータを検出する。判別パラメータを検出すると、プロセスはステップＳ２０３に進む。
【００５６】
ステップＳ２０３では、制御部１０は、記憶部８０に記憶された当該機能に対するロック解除方法を読出す。ロック解除情報を読出すと、プロセスはステップＳ２０４に進む。
【００５７】
ステップＳ２０４では、制御部１０は、ステップＳ２０２において検出した判別パラメータ、すなわち検出情報と、ステップＳ２０３において読出したロック解除情報とを比較する。検出情報およびロック解除情報の各判別パラメータの少なくとも一部が異なっている場合には制御部１０は認証失敗と判別し、プロセスはステップＳ２０５に進む。一方、完全に一致している場合には認証成功と判別し、プロセスはステップＳ２０７に進む。
【００５８】
ステップＳ２０５では、制御部１０は、認証失敗の回数がｘ回に到達したか否かを判別する。認証失敗がｘ回未満である場合には、プロセスはステップＳ２０６に進む。認証失敗がｘ回に達している場合には、ロック解除処理を終了する。
【００５９】
ステップＳ２０６では、制御部１０は、表示部３０に認証失敗の旨を通知するメッセージを表示させる。メッセージの表示後、プロセスはステップＳ２０１に戻る。
【００６０】
ステップＳ２０７では、制御部１０は、当該アプリケーションのロックを解除する。ロックを解除すると、ロック解除処理を終了する。
【００６１】
次に、制御部１０が実行するアプリケーション上の任意の機能のロック解除処理について、図６のフローチャートを用いて説明する。制御部１０は、部分的にロックの解除が可能なアプリケーションを実行する入力を検出するときにロック解除処理を開始する
【００６２】
ステップＳ３００からＳ３０３において、制御部１０は、機能に対するロック解除処理におけるステップＳ２００からＳ２０３と同じ制御を実行する。
【００６３】
ステップＳ３０４では、制御部１０は、ステップＳ３０２において検出した判別パラメータ、すなわち検出情報と、ステップＳ３０３において読出したロック解除情報とを比較する。検出情報およびロック解除情報の各判別パラメータが完全に一致している場合には認証成功と判別し、プロセスはステップＳ３０５に進む。一方、判別パラメータの少なくとも一部が異なっている場合には制御部１０は認証失敗と判別し、プロセスはステップＳ２０６に進む。
【００６４】
ステップＳ３０５では、制御部１０は、当該機能のロックを解除する。ロックを解除すると、ロック解除処理を終了する。
【００６５】
ステップＳ３０６では、制御部１０は、認証失敗の回数がｘ回に到達したか否かを判別する。認証失敗がｘ回未満である場合には、プロセスはステップＳ３０７に進む。認証失敗がｘ回に達している場合には、プロセスはステップＳ３０８に進む。
【００６６】
ステップＳ３０７では、制御部１０は、表示部３０に認証失敗の旨を通知するメッセージを表示させる。メッセージの表示後、プロセスはステップＳ３０１に戻る。
【００６７】
ステップＳ３０８では、制御部１０は、検出情報およびロック解除情報における押圧に基づくデータが一致するか否かを判別する。押圧に基づくデータが一致する場合には、プロセスはステップＳ３０９に進む。押圧に基づくデータが一致しない場合には、ロック解除処理を終了する。
【００６８】
ステップＳ３０９では、制御部１０は、検出情報およびロック解除情報における押圧に基づくデータ以外の判別パラメータを用いて、一致度を算出する。一致度を算出すると、プロセスはステップＳ３１０に進む。
【００６９】
ステップＳ３１０では、制御部１０は、ステップＳ３０９において算出した一致度に応じた特定の機能のロックを解除する。一部の機能のロックを解除すると、ロック解除処理を終了する。
【００７０】
以上のような構成の本実施形態の電子機器１によれば、押圧に基づくデータに応じてロックを解除することが可能である。したがって、ロック解除時の動作を第三者に覗かれたとしても、第三者が押圧の強さまで認識することは困難であり、ロック解除操作の漏洩を防止することが可能である。
【００７１】
また、本実施形態の電子機器１によれば、押圧の強さと、接触位置、接触回数、および接触の順番の少なくとも一つとを組合わせて、ロック解除の判別を行うことが可能である。したがって、より複雑なロック解除操作を登録することが可能である。
【００７２】
また、本実施形態の電子機器１によれば、ロックをかける機能別に異なるロック解除操作を登録することが可能である。したがって、実行させる機能の重要性などに応じてロック解除操作を複雑化したり単純化することが可能である。
【００７３】
また、本実施形態の電子機器１によれば、アプリケーション上の任意の機能に対してロックをかけることが可能であり、アプリケーションのロック解除操作による認証に失敗しても、一致度に応じて一部の機能のロックを解除することが可能である。
【００７４】
特に、電子機器１では、検出情報及びロック解除情報における押圧に基づくデータが一致しているときにのみ一致度を算出する構成なので、第三者に漏洩しづらい判別パラメータのみによって、最低限の本人認証を行うことが可能である。最低限の本人認証の成功により重要度の比較的低い機能の実行のロックが解除される一方で、重要度の比較的高い機能に対しては別の判別パラメータの一致を求めることが可能である。このような構成により操作者の利便性を向上させることが可能である。
【００７５】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００７６】
例えば、本実施形態において、ロック解除情報を機能毎に登録する構成であるが、電子機器１が実行可能な全アプリケーションまたは選択した複数のアプリケーションに対して一括して登録することも可能である。個別のロック解除情報の登録は煩雑であり、操作者が望まないこともある。したがって、一括登録を可能にすることにより利便性を向上させることが可能である。
【００７７】
また、本実施形態では、単一の押圧に基づくデータがロック解除情報に含まれる構成であるが、複数の押圧に基づくデータをロック解除情報として含んでもよい。複数の押圧に基づくデータをロック解除情報として含めれば、ロック解除情報の登録および解除時に、タッチ面の異なる領域への異なる押圧に基づくデータそれぞれを判別パラメータにすることが可能である。
【００７８】
また、本実施形態では、接触回数、接触位置、接触の順番、および押圧に基づくデータを判別パラメータとして用いる構成であるが、ロック解除操作により検出可能な他の変数を判別パラメータとして用いてもよい。例えば、複数の数字のオブジェクトを表示部３０に表示させ、操作入力のなされた数字、操作入力された順番などを判別パラメータとして用いてもよい。
【００７９】
また、本実施形態では、電子機器１は携帯電話端末であるが、タッチパネルなどの接触検出部に対する入力に基づいて所定の処理を行う多様な機器に適用可能である。
【符号の説明】
【００８０】
１  電子機器
１０  制御部
３０  表示部
４０  接触検出部
４０ａ  タッチ面
５０  振動部
５２  圧電振動子
６０  押圧検出部
６２  歪みゲージセンサ
７１  筐体
７２  インシュレータ
７３  アップカバー
７４  インシュレータ
８０  記憶部
ＧＩ  方眼画像
【図１】
2013205986.tif 000004
【図２】
2013205986.tif 000005
【図３】
2013205986.tif 000006
【図４】
2013205986.tif 000007
【図５】
2013205986.tif 000008
【図６】
2013205986.tif 000009